(57)【要約】【課題】搬送性に優れ、被緑化エリアにおける緑化資材据付け面の凹凸を吸収（追随）しながら据付け性にも優れた緑化資材とこの緑化資材で構成される緑化構造体を提供する。【解決手段】緑化資材１０は、柔軟性があって凹溝１ａを備えているシート１と、シート１上に配設された人工基盤２と、人工基盤２上に載置された植物層３と、から構成される。緑化構造体１００は、傾斜面において、複数の緑化資材１０が併設されて構成されたものであり、傾斜面の水下側Ｄの緑化資材１０のシート１の端部の上に水上側Ｕの緑化資材１０のシート１の端部が載置され、双方のシートの端部がラップしたラップ部６が形成された状態で複数の緑化資材１０が併設されて構成される。【選択図】図１
2014079176.tif 000002
【特許請求の範囲】
【請求項１】
柔軟性があって凹溝を備えているシートと、
前記シート上に配設された人工基盤と、
前記人工基盤上に載置された植物層と、からなる緑化資材。
【請求項２】
前記人工基盤の側方もしくは内部であって、かつ前記シートの上に灌水チューブが配設されている請求項１に記載の緑化資材。
【請求項３】
前記シートと前記人工基盤の間に導水シートが介在している請求項１または２に記載の緑化資材。
【請求項４】
傾斜面において、請求項１〜３のいずれかに記載の複数の緑化資材が併設されて構成される緑化構造体であって、
傾斜面の水下側の緑化資材のシートの端部の上に水上側の緑化資材のシートの端部が載置され、双方のシートの端部がラップした状態で複数の緑化資材が併設されている緑化構造体。
【発明の詳細な説明】
【技術分野】
【０００１】
本発明は緑化資材と、複数の緑化資材によって構成される緑化構造体に関するものである。
【背景技術】
【０００２】
都市部のたとえば夏期の日中におけるヒートアイランド現象を緩和する方策の一つとして、マンションやビル等の屋上緑化、アスファルト舗装路やコンクリート路盤表面の緑化、さらには、成形地盤等の法面緑化などが実用化されている。
【０００３】
この緑化対策においては、被緑化エリアが屋上や法面等である場合に、緑化資材の搬送性や現地での据付性の良否が工費や外観意匠性等の観点から重要な要素となっている。
【０００４】
この据付性に関してさらに言及するに、ビルの屋上や造成された法面には少なからず表面に凹凸や水勾配等の傾斜が存在している。特に据付面に凹凸がある場合にこの凹凸を緑化資材が吸収等するものでないと、緑化資材を安定姿勢で据付けることができず、据付けに時間を要することに加えてがたつきを完全に解消しきれなくなってしまう。
【０００５】
また、がたつきのある緑化資材が並べられて構成される緑化構造体では、その上を歩行する人の歩行安全性を低下させ、緑化構造体そのものの外観意匠性を低下させる要因にもなる。
【０００６】
このような観点から、搬送性に優れ、被緑化エリアにおける緑化資材据付け面の凹凸を吸収（もしくは追随）しながら据付け性にも優れた緑化資材の開発が切望されている。
【０００７】
ここで、特許文献１には、周壁と、周壁で囲まれた保水用凹部と、保水用凹部に立設する複数本の支柱とを少なくとも備える保水排水基盤材が開示されている。支柱には周壁とほぼ同じ高さの第１の支柱とそれよりも高い第２の支柱があり、保水排水基盤材の上に配置した不織布は高さの違う支柱の頂部で支えられて裏面が下に凸の湾曲面を形成し、この構成によって不織布から保水用凹部へ水を確実に落下できるとしている。
【０００８】
しかしながら、特許文献１で開示される保水排水基盤材は、周壁や保水用凹部、支柱といった各構成部材がいずれも剛性のある部材であり、したがって保水排水基盤材自体の剛性も比較的高いものであることから、上記する据付面の表面凹凸を吸収しながら良好な据付性を保証できるものではない。
【０００９】
また、特許文献２には、複数の貯水槽を連結リブで区画するとともに、連結リブの上に貯水槽相互で通水可能な通水用凹溝を形成した貯水槽トレーが開示されている。この貯水槽トレーによれば、潅水機能が充実して水分管理も容易になるとしている。しかしながら、特許文献２で開示の貯水槽トレーにおいても、トレー自体は比較的高い剛性を有しており、やはり据付面の表面凹凸を吸収しながら良好な据付性を保証できるものではない。また、灌水機能が充実するとしているが、植物に常に導水される構成であることから、実際には植物の根腐れが懸念される。
【先行技術文献】
【特許文献】
【００１０】
【特許文献１】特開２００８−２１２１２４号公報
【特許文献２】特開２００８−１７３１３５号公報
【発明の概要】
【発明が解決しようとする課題】
【００１１】
本発明は上記する問題に鑑みてなされたものであり、搬送性に優れ、被緑化エリアにおける緑化資材据付け面の凹凸を吸収（追随）しながら据付け性にも優れた緑化資材とこの緑化資材で構成される緑化構造体を提供することを目的とする。
【課題を解決するための手段】
【００１２】
前記目的を達成すべく、本発明による緑化資材は、柔軟性があって凹溝を備えているシートと、前記シート上に配設された人工基盤と、前記人工基盤上に載置された植物層と、からなるものである。
【００１３】
本発明の緑化資材は、最下層に柔軟性があって凹溝を備えているシートを具備している点に特徴があり、この柔軟性のあるシートによって緑化資材据付面の凹凸を吸収しながら緑化資材を簡易かつ平坦性をもって据付けることができ、優れた据付性を保証できるものである。
【００１４】
この柔軟性のあるシートは、天然ゴムや合成ゴム、ナイロンなどの合成繊維などから形成できる。
【００１５】
シートが柔軟性を有していることで、たとえばシートを巻装した状態で被緑化エリアまで搬送して敷設することができ、緑化資材構成部材の搬送性にも優れたものとなる。
【００１６】
さらに、シートにはたとえば複数の凹溝が形成されている。この凹溝の形態としては、一定の平面積のシートに対して複数の帯状の凹溝が間隔を置いて配設された形態や、多数の凹溝が分散して配設された形態、シートが波状を呈していて凹溝が連続している形態などを挙げることができる。
【００１７】
このシートに配設された凹溝が水溜まりとなり、凹溝の寸法に応じた量の水を貯水しておくことができる。そして、降雨等によって凹溝から水が溢れた際には、シートと人工基盤の間を水が流れて排水される。一方、凹溝から水が無くなった際にはこの凹溝が空気溜りを形成する。このように、シートに設けられた凹溝が水溜りと空気溜りの双方の機能を発揮できることから、植物層を形成する植物の根腐れも効果的に防止することができる。
【００１８】
また、この凹溝の高さよりも据付面の凹凸が低い場合には、シートを据付けた際に据付面の凹凸に左右されることなく、シートの平坦性が担保され、ひいては緑化資材の平坦性が保証される。
【００１９】
上記する柔軟性があって凹溝を具備するシートの上に人工基盤が配設される。この人工基盤はたとえば不織布等から形成でき、下方に位置するシートの凹溝内の水を吸水して上方に位置する植物層に水を提供できる吸水性を備えたものが望ましい。
【００２０】
人工基盤上に載置される植物層は、芝やタマリュウなどの任意の植物が地盤マット等に植栽されて構成される。
【００２１】
また、本発明による緑化資材の好ましい実施の形態として、前記人工基盤の側方もしくは内部であって、かつ前記シートの上に灌水チューブが配設されている形態を挙げることができる。
【００２２】
たとえば被緑化エリアを100基の緑化資材を併設してカバーする場合において、100基全ての緑化資材が灌水チューブを具備していてもよいし、100基のうちのいくつかの緑化資材のみが灌水チューブを具備していてもよい。
【００２３】
緑化資材が灌水チューブを具備する場合には、人工基盤内に１つもしくは２以上の灌水チューブが埋設される形態や、人工基盤の側方位置に灌水チューブが固定された形態などを挙げることができる。
【００２４】
なお、水勾配を有する被緑化エリアにおいて灌水チューブを具備する緑化資材を配設する際には、水勾配の水上側に灌水チューブが配設される態様で緑化資材が据付けられるのが望ましい。たとえば、被緑化エリアが一定の水勾配を具備する傾斜面からなる場合において、水上側の端部にのみ灌水チューブを具備する緑化資材を配設し、この灌水チューブから提供された水が水下側に流れて各緑化資材のシートの凹溝内に水溜めすることができる。その他、水上側の端部のほか、傾斜面の途中位置にも灌水チューブを具備する緑化資材を配しておき、２列もしくは３列の灌水チューブから被緑化エリアの全域に水を提供する形態などであってもよい。
【００２５】
また、本発明による緑化資材の好ましい実施の形態として、前記シートと前記人工基盤の間に導水シートが介在している形態を挙げることができる。
【００２６】
シートと人工基盤の間に導水シートが介在することにより、各シートの凹溝に溜まっている水を面的に広範囲に広げることができ、面的に導水された水をその上方にある人工基盤に吸水させ、植物層に提供することができる。たとえば、一部の緑化資材のシートにのみ水が溜まっている場合には、この導水シートによって水溜りのない他の緑化資材に水を提供することができる。
【００２７】
緑化資材の形成方法は任意であるが、たとえば、ロール状に巻装されたシートを被緑化エリアの一部に敷設し、その上に人工基盤を載せ、さらにその上に植物層を載せて形成できる。この際、緑化資材ごとにこの作業を繰り返して被緑化エリアの全域に緑化資材を併設してもよいし、たとえば、広い面積の一枚のシートを被緑化エリアの全域に敷設し、このシートの上に複数の人工基盤を順次併設していき、次に各人工基盤の上に植物層を順次載せていく形成方法などであってもよい。
【００２８】
なお、被緑化エリアに複数の緑化資材を据付けるに当たり、各緑化資材のシートや人工基盤が据付られた段階で各緑化資材の上にワイヤやロープを張って屋根や屋上、地盤等に固定した後、各人工基盤の上に植物層を載置して複数の緑化資材を形成してもよい。
【００２９】
また、本発明は緑化構造体にも及ぶものであり、この緑化構造体は、傾斜面において、複数の前記緑化資材が併設されて構成される緑化構造体であって、傾斜面の水下側の緑化資材のシートの端部の上に水上側の緑化資材のシートの端部が載置され、双方のシートの端部がラップした状態で複数の緑化資材が併設されているものである。
【００３０】
本発明の緑化構造体は、特に傾斜面において複数の緑化資材が併設されて構成されたものであり、隣接する緑化資材同士の据付態様として、傾斜面の水下側の緑化資材のシートの端部の上に水上側の緑化資材のシートの端部が載置され、双方のシートの端部がラップした状態で各緑化資材が据付けられていることを特徴としたものである。
【００３１】
この構成によれば、水上側の緑化資材のシートと人工基盤の間を流下してきた水は水下側の緑化資材のシートの上に必ず提供され、水下側の緑化資材のシートの下に水が漏れてシートと据付面の間に水が溜まってしまうといった問題を効果的に解消することができる。
【発明の効果】
【００３２】
以上の説明から理解できるように、本発明の緑化資材とこれによって構成される緑化構造体によれば、緑化資材の最下層に柔軟性があって凹溝を備えているシートが備えてあることにより、緑化資材据付面の凹凸をシートで吸収して緑化資材を簡易に平坦性をもって据付けることができ、また、シートは巻装して被緑化エリアに容易に搬送できることから、搬送性と据付性の双方に優れた緑化資材と緑化構造体を提供することができる。
【図面の簡単な説明】
【００３３】
【図１】本発明の緑化資材の実施の形態１の縦断面図である。
【図２】（ａ）は図１のII矢視図であって、緑化資材のシートを上方から見た図であり、（ｂ）は図２ａに対応した図であってシートの他の実施の形態を示した図である。
【図３】本発明の緑化資材の実施の形態２の縦断面図である。
【図４】本発明の緑化資材の実施の形態３の縦断面図である。
【図５】本発明の緑化構造体の実施の形態の縦断面図である。
【図６】図５のVI−VI矢視図であって、各緑化資材のシートを上方から見た図である。
【図７】図５のVII部の拡大図である。
【発明を実施するための形態】
【００３４】
以下、図面を参照して本発明の緑化資材とこの緑化資材から構成される緑化構造体の実施の形態を説明する。なお、図示例の緑化構造体は１２基の緑化資材から構成されるものであるが、緑化構造体を構成する緑化資材の基数は図示例に何等限定されるものではない。また、図示例の緑化構造体は、水上側の端部にのみ灌水チューブを備えた緑化資材を配設したものであるが、水上側の端部の緑化資材に隣接する水下側の緑化資材にも灌水チューブを備えたものが適用されてもよいことは勿論のことである。さらに、図示例の緑化構造体はシートの一部を相互にラップさせながら１２基の緑化資材を併設して構成されたものであるが、その全領域をカバーできる面積の一枚のシートを敷設し、その上に１２基の人工基盤および植物層のユニットが併設されながら載置された形態であってもよい。
【００３５】
（緑化資材の実施の形態１）
図１は本発明の緑化資材の実施の形態１の縦断面図であり、図２ａは図１のII矢視図であって、緑化資材のシートを上方から見た図である。
【００３６】
図示する緑化資材１０は、据付面Ｓ上に載置される複数の凹溝１ａを備えたシート１と、シート１の上に配設された人工基盤２と、人工基盤２の上に載置される植物層３とから構成されている。なお、図示する据付面Ｓは平坦面であるが、傾斜面や湾曲面などであってもよく、また、据付面Ｓの表面に多数の凹凸が存在していてもよい。
【００３７】
シート１は柔軟性があり、巻装した状態で被緑化エリアに容易に搬送できるものであり、柔軟性のあるシート１が据付面Ｓの直上に載置されることで、据付面Ｓに凹凸があってもこの凹凸をシート１で吸収したり、あるいは凹溝１ａの高さ以下の凹凸はシート１の平坦性に影響を与えないことから、いずれの理由によっても緑化資材１０の上面の平坦性を保証することができる。
【００３８】
ここで、柔軟性のあるシート１の素材としては、天然ゴムや合成ゴム、ナイロン、ビニロン、アクリル繊維、ポリエチレン、ポリスチレンなどの合成繊維樹脂などを挙げることができる。
【００３９】
シート１に形成されている凹溝１ａは、図２ａで示すように一定の間隔をおいて配設された帯状の溝であり、この凹溝１ａが図１で示すように水溜まりＷの機能を発揮する。
【００４０】
また、水溜りＷが人工基盤２を介して植物層３に提供され、雨水や人工的な給水等による水の供給が途絶えた際には、この凹溝１ａから水が無くなって今度は空気溜りとなり、このように水溜まりと空気溜まりを繰返すことで植物層３を構成する植物３ｂの根腐れを効果的に抑制することができる。
【００４１】
また、図２ｂは、他の実施の形態の凹溝１ａ’を備えたシート１Ａを示している。図示するシート１Ａでは半球状をなす凹溝１ａ’が分散した態様でシート１Ａの全面に多数設けられており、それぞれの凹溝１ａ’が水溜まりの機能を発揮するものである。
【００４２】
図１に戻り、人工基盤２は、吸水性のある不織布等から形成される。また、植物層３は、地盤マット３ａに植物３ｂが植栽されたものであり、この植物としては、芝やタマリュウ、タイム、ヒメイワダレソウなどを挙げることができる。
【００４３】
緑化資材１０の形成方法は多様であるが、たとえば、図示する緑化資材構成部材をそれぞれ被緑化エリアに搬送し、据付面Ｓに対し、同程度の平面寸法のシート１と人工基盤２と植物層３をこの順で積層して図示する緑化資材１０を形成する方法がある。
【００４４】
また、他の方法としては、被緑化エリアの全域に亘る広さを有したシートを巻装状態で現地に搬送して敷設し、次いで一定の面積の人工基盤をシートの上に順次敷き並べ、次いで各人工基盤の上に植物層を順次敷き並べて複数の緑化資材１０からなる緑化構造体を形成する方法であってもよい。
【００４５】
さらに、このように複数の緑化資材１０からなる緑化構造体の形成に当たり、すべての人工基盤２を被緑化エリアの全域に敷設されたシート１の全面に敷き並べた後に、ワイヤやロープ等を人工基盤２の上に渡して被緑化エリアを構成するたとえば屋上の端部の壁面や手摺で緊結した後、全域の人工基盤２の上に植物層３を敷き並べて緑化構造体を形成してもよい。
【００４６】
（緑化資材の実施の形態２）
図３は本発明の緑化資材の実施の形態２の縦断面図である。同図で示す緑化資材１０Ａは、シート１の一部が側方に張り出し、その張り出したシート１の上でかつ人工基盤２の側方に灌水チューブ４が配設されたものである。
【００４７】
灌水チューブ４から提供された水を緑化資材１０Ａの全域に提供するべく、実際には緑化資材１０Ａは傾斜面に載置され、その際に灌水チューブ４が傾斜面の水上側に位置するようにして緑化資材１０Ａが据付面Ｓ上に配設される。
【００４８】
灌水チューブ４を具備することで、雨水等の頻度に左右されることなく、必要に応じて水を緑化資材１０Ａの全域に提供できることから水分管理上の利点がある。
【００４９】
なお、図示を省略するが、１つもしくは２以上の灌水チューブが人工基盤の内部に埋設された形態の緑化資材であってもよい。
【００５０】
（緑化資材の実施の形態３）
図４は本発明の緑化資材の実施の形態３の縦断面図である。同図で示す緑化資材１０Ｂは、シート１と人工基盤２の間に導水シート５が介在したものである。
【００５１】
シート１と人工基盤２の間に導水シート５が介在することにより、各シート１の凹溝１ａに溜まっている水Ｗを面的に広範囲に広げることができ、面的に導水された水をその上方にある人工基盤２に吸水させ、各植物層３に提供することができる。たとえば、複数の緑化資材１０Ｂが併設して緑化構造体が形成されている場合において、一部の緑化資材１０Ｂのシート１にのみ水が溜まっている場合には、各緑化資材１０Ｂの導水シート５が相互に繋がることによって水溜りのない他の緑化資材１０Ｂに水を提供することが可能となる。
【００５２】
（緑化構造体の実施の形態）
図５は本発明の緑化構造体の実施の形態の縦断面図であり、図６は図５のVI−VI矢視図であって、各緑化資材のシートを上方から見た図であり、図７は図５のVII部の拡大図である。
【００５３】
図示する緑化構造体１００は、傾斜した据付面Ｓの上に４列で各列３基の緑化資材が併設して被緑化エリアの全域に亘って形成されたものである。
【００５４】
各列において、水上側Ｕから水下側Ｄに向かって順に、図３で示す緑化資材１０Ａ、図１で示す緑化資材１０，１０が配設されている。
【００５５】
このように水上側Ｕの端部に緑化資材１０Ａを配設することで、緑化資材１０Ａの具備する灌水チューブ４から必要に応じて水が提供され、各緑化資材１０Ａ，１０それぞれのシート１と人工基盤２の間を水が流下して（Ｘ方向）、緑化構造体１００の全域に水を供給することができ、供給された水はそれぞれのシート１の凹溝１ａに貯水される。
【００５６】
そして、この緑化構造体１００においては、図７の拡大図で示すように、傾斜面の水下側Ｄの緑化資材１０のシート１の端部の上に水上側Ｕの緑化資材１０のシート１の端部が載置され、双方のシート１，１の端部がラップしてなるシートのラップ部６を形成するようにして緑化構造体１００が形成される。
【００５７】
図示する構成のシートのラップ部６を形成することで、水上側Ｕから流下してきた（Ｘ方向）水が水下側Ｄの緑化資材１０のシート１の下方に漏れることが抑止され、シート１と据付面Ｓの間に漏れ出た水が溜まるといった問題を解消することができる。
【００５８】
なお、図示を省略するが、水上側の緑化資材のみならずその水下側の緑化資材も灌水チューブを具備する形態の緑化構造体であってもよいし、１つの緑化資材がその人工基盤内に２以上の灌水チューブを埋設したものであってもよく、このような形態では、灌水チューブをたとえば600mm〜1500mmの間隔で配設することができる。
【００５９】
図示する緑化構造体１００の形成方法は、シートのラップ部６を形成するようにして据付面Ｓに緑化資材１０，１０Ａを順次敷き並べていくものであり、その際に、緑化資材１０，１０Ａの形成方法は、既述するように巻装状態で搬送されたシート１を各緑化資材１０，１０Ａの平面寸法ごとに敷設したり、あるいは被緑化エリアの全域に一度に敷設した後、人工基盤２、植物層３の順に積層して緑化構造体１００を形成する。
【００６０】
図示する緑化構造体１００は搬送性と据付性に優れた緑化資材１０、１０Ａから形成されていることから、屋上や法面などの搬送や据付が困難な被緑化エリアであっても、あるいは据付面に多数の凹凸が存在する被緑化エリアであっても、効率的でしかも外観意匠性に優れた緑化構造体となる。
【００６１】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００６２】
１，１Ａ…シート、１ａ，１ａ’…凹溝、２…人工基盤、３…植物層、３ａ…地盤マット、３ｂ…植物、４…灌水チューブ、５…導水シート、６…シートのラップ部、１０，１０Ａ，１０Ｂ…緑化資材、１００…緑化構造体、Ｓ…据付面、Ｕ…水上側、Ｄ…水下側、Ｗ…水溜まり（水）
【図１】
2014079176.tif 000003
【図２】
2014079176.tif 000004
【図３】
2014079176.tif 000005
【図４】
2014079176.tif 000006
【図５】
2014079176.tif 000007
【図６】
2014079176.tif 000008
【図７】
2014079176.tif 000009